(57)【要約】【課題】開口部を覆うための改良されたアセンブリを提供する。【解決手段】巻取り管への巻き付け・巻き戻しが可能な第１のフレキシブルカバー部と、巻取り管から離れた第１のカバー部の端部でそれに取り付けられた第２の剛体カバー部と、第１のカバー部から離れた第２の剛体カバー部の端部でそれに取り付けられた第３のフレキシブルカバー部とを有する可動カバーを具備し、第３のカバー部の自由端は第１の駆動部材によって移動可能な反転部材を取り巻いて延在し、この自由端は第２の駆動部材に連結されており、かつ巻取り管の、したがって第１および第２のカバー部の巻取り速度Ｖ１、第１の駆動部材の駆動速度Ｖ２、第２の駆動部材の駆動速度Ｖ３間の比は、Ｖ１＋Ｖ３＝２Ｖ２(ここで、Ｖ３＞Ｖ２＞Ｖ１＞０)を満たす開口部被覆アセンブリ。【選択図】図１
2006290326.tif 000002
【特許請求の範囲】
【請求項１】
開口部を被覆するためのアセンブリであって、
巻取り管への巻き付けおよび前記巻取り管からの巻き戻しが可能な第１のフレキシブルカバー部と、前記巻取り管から離れた前記第１のフレキシブルカバー部の端部で前記第１のカバー部に取り付けられた第２の剛体カバー部と、前記第１のカバー部から離れた前記第２の剛体カバー部の端部で前記第２のカバー部に取り付けられた第３のフレキシブルカバー部と、を有する可動カバーを具備してなり、
前記第３のカバー部の自由端は第１の駆動部材によって移動可能な反転部材を取り巻いて延在し、前記自由端は第２の駆動部材に連結されており、かつ前記巻取り管の、したがって前記第１および第２のカバー部の巻取り速度Ｖ１と、前記第１の駆動部材の駆動速度Ｖ２と、前記第２の駆動部材の駆動速度Ｖ３との間の比は、Ｖ１＋Ｖ３＝２Ｖ２(ここで、Ｖ３＞Ｖ２＞Ｖ１＞０)を満たすことを特徴とする開口部被覆アセンブリ。
【請求項２】
前記第１および第２の駆動部材は、前記反転部材および前記第３のカバー部材の自由端にそれぞれ取り付けられた二つのフレキシブルな部材と協働する二つのプーリーを具備してなることを特徴とする請求項１記載のアセンブリ。
【請求項３】
前記二つのプーリーは共有駆動シャフト上に取り付けられていると共に適当な直径比を有することを特徴とする請求項２に記載のアセンブリ。
【請求項４】
Ｖ１、Ｖ２、Ｖ３間の比は、１:２:３であることを特徴とする請求項１ないし請求項３のいずれか１項に記載のアセンブリ。
【請求項５】
前記第３のカバー部の前記自由端は、前記第２の駆動部材が作動させられた際、前記開口部と前記可動カバーとの間を移動することを特徴とする請求項１ないし請求項４のいずれか１項に記載のアセンブリ。
【請求項６】
前記フレキシブルな部材はプッシュ／プルケーブルであることを特徴とする請求項２ないし請求項５のいずれか１項に記載のアセンブリ。
【請求項７】
前記第２の剛体カバー部は、前記開口部に沿って延在するガイドとスライド可能に協働することを特徴とする請求項１ないし請求項６のいずれか１項に記載のアセンブリ。
【請求項８】
前記第１のカバー部用の前記巻取り管は、その上に前記第１のカバー部を巻き取る方向に付勢されていることを特徴とする請求項１ないし請求項７のいずれか１項に記載のアセンブリ。
【請求項９】
前記第１のカバー部、前記第２のカバー部および前記第３のカバー部のそれぞれは、実質的に、前記開口部の全長全体の三分の一にわたって延在することを特徴とする請求項１ないし請求項８のいずれか１項に記載のアセンブリ。
【請求項１０】
前記開口部は車両の屋根の開口部であることを特徴とする請求項１ないし請求項９のいずれか１項に記載のアセンブリ。
【請求項１１】
前記可動カバーは前記車両屋根の内張りの一部であることを特徴とする請求項１０に記載のアセンブリ。
【請求項１２】
前記可動カバーはサンシェード機構の一部であることを特徴とする請求項１０に記載のアセンブリ。
【発明の詳細な説明】
【技術分野】
【０００１】
本発明は開口部被覆アセンブリに関する。
【背景技術】
【０００２】
そうしたアセンブリはたとえば、固定屋根部に設けられた屋根開口部、ならびにこの屋根開口部を開放および閉塞するための可動閉塞パネルを具備してなる車両用の開放式屋根構造体と組み合わせて使用できる。概して、車両屋根の内面は内張りを備える。屋根開口部が開放された際、そうした内張りもまた、屋根開口部が開放されるポジションまで移動されなければならない。
【０００３】
より大きな屋根開口部およびそうした内張りの美的外観向上についての常に増大する要求によって、問題が、特に内張りを平滑にかつ緊張状態で保持することに関する問題が生じる。屋根開口部の大きな寸法のために、内張りは、その真ん中のセクションで弛みがちである。なぜなら、それはフレキシブルな素材からなるからである。
【０００４】
上記タイプのアセンブリの他の使用法はまた、車両用の開放式屋根構造体に適合する。しばしば、そうした開放式屋根構造体は、サンスクリーンを持つサンシェード機構を備え、このサンスクリーンが開放式屋根開口部を覆うことになる。やはりここでも上記問題が生じることになる。
【発明の開示】
【発明が解決しようとする課題】
【０００５】
本発明の目的は、開口部を覆うための改良されたアセンブリを提供することである。
【課題を解決するための手段】
【０００６】
したがって、本発明によれば、開口部を覆うためのアセンブリは、可動カバーが、巻取り管への巻き付けおよび巻取り管からの巻き戻しが可能な第１のフレキシブルカバー部と、巻取り管から離れた第１のフレキシブルカバー部の端部でこの第１のカバー部に取り付けられた第２の剛体カバー部と、第１のカバー部から離れた第２の剛体カバー部の端部でこの第２のカバー部に取り付けられた第３のフレキシブルカバー部とを有し、第３のカバー部の自由端は第１の駆動部材によって移動可能な反転部材を取り巻いて延在し、この自由端は第２の駆動部材に連結されており、かつ巻取り管の、したがって第１および第２のカバー部の巻取り速度Ｖ１と、第１の駆動部材の駆動速度Ｖ２と、第２の駆動部材の駆動速度Ｖ３との間の比は、Ｖ１＋Ｖ３＝２Ｖ２(ここで、Ｖ３＞Ｖ２＞Ｖ１＞０)を満たすことによって特徴付けられる。
【０００７】
可動カバーが開口部を完全に覆う可動カバーのポジションでは、第１のカバー部、第２のカバー部および第３のカバー部は互いに隣接配置されている。第２のカバー部の剛体特性は、可動カバーのその中央セクションでのたるみを減少させるかあるいは完全に除去することさえできる。可動カバーが、開口部が開放されるポジションへ向って移動させられる必要があるとき、巻取り管は第１のフレキシブルカバー部を巻き取ることができ、これによってまた第２の剛体カバー部およびそれに取り付けられた第３のカバー部の端部が同じ方向に沿って移動させられる。同時に、第１の駆動部材がそれよりも高い速度で同じ方向に反転部材を移動させるために作動させられる。一方、同時に、第２の駆動部材が第３のカバー部の自由端を同じ方向にさらに高速で移動させる。この結果、第３のカバー部の自由端は移動する反転部材の周りを移動させられ、第３のカバー部の自由端は巻取り管に向う方向に移動する。第２の剛体カバー部が巻取り管に達したとき、巻取り管は停止し、そして可動カバーは、それが少なくとも部分的に開口部を開放するポジションを呈する。
【０００８】
本発明によるアセンブリは、その全長にわたって断続しない可動カバーを提供し(したがってその全長にわたって平滑な表面を提供し)、これは継ぎ目を伴わずに好ましい美的外観を有する。巻取り管が開口部の直近に隣接配置された場合、可動カバーが開口部を開放するためのポジションへと移動させられた際に、少なくとも開口部の三分の二は開放されることになる。公知のシステム(開口部を覆うためのアセンブリが多数の剛体パネルを具備してなる)とは対照的に、可動カバーを格納するための限定された大きさの空間が必要なだけである。剛体カバー部は実質的にあるいは完全に可動カバーのたるみを排除し、一方では、さらに、全てのカバー部の移動の完全な同期が達成される。最後に、格納空間に対する要求が低減するので、可動カバーとして多数の代替素材を使用することが可能となる。
【０００９】
本発明によるアセンブリの好ましい実施形態では、第１および第２の駆動部材は、反転部材および第３のカバー部の自由端にそれぞれ取り付けられた二つのフレキシブルな部材と協働する二つのプーリーを具備してなる。この結果、簡素であるが、それにもかかわらず信頼性の高い駆動機構が実現される。
【００１０】
そうしたプーリーを使用する場合、上記二つのプーリーが共有駆動シャフト上に配置されかつ適当な直径比を有するとき、両者の間の完全な同期を実現できる。
【００１１】
好ましくは、Ｖ１、Ｖ２およびＶ３間の比は、１:２:３である。その場合、プーリー(もし備わるならば)は、２:３の直径比を有することになる。
【００１２】
好ましくは、第３のカバー部の自由端は、第２の駆動部材が作動させられた際、開口部と可動カバーとの間を動く。これは、第３のカバー部の自由端が可動カバーの背後に隠れるが、たとえば上記アセンブリが車両用の開放式屋根構造体の一部である場合には、それが有利であることを意味する。
【００１３】
好ましくは、フレキシブル部材はプッシュ／プルケーブルであり、このケーブルは可動カバーの終端ポジション間での可動カバーの移動を実現できる。
【００１４】
第２の剛体カバー部が撓まないよう、そのポジションを維持するため、第２の剛体カバー部は開口部に沿って延在するガイドとスライド可能に協働することができる。そうしたガイドはまた、反転部材を案内するのにも使用できることに留意されたい。だが、反転部材はまた、たとえば別個のガイドによって異なる様式で案内できる。
【００１５】
さらに他の好ましい実施形態によれば、第１のカバー部用の巻取り管が、その上に第１のカバー部を巻き取るための方向に付勢される場合、可動カバーが緊張した姿態で維持されるということが常に確実なものとなる。
【００１６】
たいていの例では、第１のカバー部、第２のカバー部および第３のカバー部のそれぞれは実質的に開口部の全長全体の三分の一にわって延在する。その場合、可動カバーが、第１のフレキシブルカバー部が巻取り管上に巻き取られてしまったポジションへと移動した際、実質的に開口部の三分の二が開放される。
【００１７】
上記のとおり、開口部は車両の固定屋根の開口部であってもよい。可動カバーは、そうした車両屋根の内張りの一部であってもよく、あるいはさもなければ、可動カバー部はサンシェード機構の一部であってもよい。だが、本アセンブリの使用はそうした用途に限定されるものではないということに留意されたい。
【発明を実施するための最良の形態】
【００１８】
以下、図面を参照して本発明について説明する。
【００１９】
図１に車両の固定屋根１の一部を示す。この固定屋根１には屋根開口部２が設けられ、この屋根開口部２は可動パネル３によって開放および閉塞できる。固定屋根１および屋根開口部２と共に、パネル３はいわゆる開放式屋根機構を形成しているが、その大まかな構造については従来公知であるから、本明細書ではこれ以上説明しない。
【００２０】
固定屋根１の下方で、屋根開口部２の縁部の一方の近傍には巻取り管４が設けられ、これは、図示していない手段(たとえばスプリング手段)によって、矢印５で示す方向に付勢されている。
【００２１】
可動カバーは第１のフレキシブルカバー部６を具備してなり、このカバー部６は巻取り管４に巻き取ったりあるいはそれから巻き戻したりできる。第２の剛体カバー部７が、第１のカバー部６に対して、巻取り管４から離れた、その端部において取り付けられている。第３のフレキシブルカバー部８が、第２のカバー部７に対して、第１のカバー部６から離れた、その端部において取り付けられている。
【００２２】
第２の剛体カバー部７は、屋根開口部２に沿って延在するガイド１１と協働するスライドシュー１０を有する支持部材９を具備する。図示の実施形態では、第２の剛体カバー部７は部分的に第１のフレキシブルカバー部６および第３のフレキシブルカバー部８と同じフレキシブル素材からなっているが、この第２のカバー部はその剛性を、上記剛体支持部材９(これはたとえば板状部材からなっていてもよい)に対するその接合によって得ているということに留意されたい。
【００２３】
さらに言えば、「剛体」という表現は完全な剛体に限定されるものではなく、ある程度の可撓性が備わっていてもよい、ということに留意されたい。
【００２４】
第３のカバー部８の自由端は反転部材１２で折り返されて延在しており、この反転部材１２は、スライドシュー１３によって、屋根開口部２に沿って延在するガイド(ガイド群)１４沿ってスライドできる。反転部材１２はローラーからなっていてもよく、このローラーは回転軸線１５の周りを自由に回転できる。
【００２５】
固定屋根１の下方には、駆動シャフト１７を有する駆動モーター１６が配置され、このシャフト１７には二つのプーリー１８および１９が取り付けられている。プーリー１８はフレキシブルなプッシュ／プルケーブル２０につながっており、このケーブル２０は第３のフレキシブルカバー部８の自由端に取り付けられている。一方、プーリー１９はプッシュ／プルケーブル２１につながっており、このケーブル２１は反転部材１２のスライドシュー１３に取り付けられている。
【００２６】
最後に、図１は車両の固定内張り２２の一部を示している。この内張り２２は図１に示すその閉ポジションでは可動カバーと、ほとんど一続きとなっている。この閉ポジションでは第３のフレキシブルカバー部８は実質的に屋根開口部２の全長全体(Ｌ、図２参照)の三分の一(Ｃ１)にわたって延在し、第２のカバー部７,９は実質的に上記全長の三分の一(Ｃ２)にわたって延在し、一方、また第１のフレキシブルカバー部６は実質的に開口部２の全長全体の三分の一(Ｃ３)にわたって延在している。第１のフレキシブルカバー部６および第３のフレキシブルカバー部８の両方は、Ｃ１およびＣ３で示すセクションを越えて延在するセクション(すなわちそれぞれ巻取り管４を取り巻くセクションおよび反転部材１２を取り巻くセクション)を具備してなることに留意されたい。
【００２７】
図１に示すアセンブリの動作を説明する前に、図示の実施形態では、共有駆動シャフト１７に取り付けられたプーリー１８および１９が、３:２の直径比を有するという点に留意すること肝要である。
【００２８】
上記アセンブリは次のように動作する。巻取り管４はその上に第１のフレキシブルカバー部６を速度Ｖ１で巻き取れるようになっており、この速度Ｖ１は続いてさらに、巻取り管４に向かって、(第２のカバー部７に取り付けられた第３のフレキシブルカバー部８の一部と同様に)第２の剛体カバー部７,９が移動する速度となる。同時に、モーター１６が作動させられて、プーリー１８および１９はケーブル２０および２１を引っ張り、これによって第３のフレキシブルカバー８の自由端は各自のプーリー１８に向かって速度Ｖ３で移動させられ、かつ反転部材１２がプーリー１９に向かって速度Ｖ２で移動させられる。本実施形態では、Ｖ１、Ｖ２およびＶ３間の比は１:２:３である。
【００２９】
この結果、可動カバー全体は、図２に示す開ポジションに向かって移動させられる。この開ポジションでは、第３のフレキシブルカバー８の自由端は、固定屋根１(または屋根開口部２)と可動カバーの残部との間に移動してしまっている。そうした開ポジションでは、屋根開口部２の少なくとも三分の二が露出されている(距離ｌはＬの三分の二である)。この開ポジションでは、可動パネル３はもちろんポジション３'の方に移動してしまっているが、このポジション３'では可動パネル３はもはや屋根開口部２を閉塞していない。
【００３０】
図３はわずかに変更された実施形態を示しており、ここでは固定内張り２２は、可動カバーがその開ポジションにあってはその背後に隠されるようなポジションを呈する。図３では、上記アセンブリのある部分が図示されていないが、それは依然として上記アセンブリの一部(たとえば、モーター１６ならびにガイド１１および１４)であることに留意されたい。さらに、ここでは第１のフレキシブルカバー部６'は、巻取り管４上に巻くことができるプルケーブルとして形成されている。この第１のカバー部６'は、固定内張り２２の背後に位置させられるので、もはやカバー機能を持たない。本アセンブリの開ポジションは点線で、たとえば、反転部材および第２カバー部の支持部材に関しては、それぞれ１２'および９'で示されている。
【００３１】
本発明は上記実施形態に限定されるものではなく、請求項で規定される本発明の範囲内で広範に変更可能である。
【図面の簡単な説明】
【００３２】
【図１】開口部を覆うためのアセンブリの実施形態を閉ポジションにおいて示す概略図である。
【図２】図１のアセンブリを開ポジションにおいて示す概略図である。
【図３】開口部を覆うためのアセンブリの別な実施形態を示す概略図である。
【符号の説明】
【００３３】
１  固定屋根
２  屋根開口部
３  可動パネル
４  巻取り管
６  第１のフレキシブルカバー部
７  第２の剛体カバー部
８  第３のフレキシブルカバー部
９  支持部材
１０  スライドシュー
１１  ガイド
１２  反転部材
１３  スライドシュー
１４  ガイド
１５  回転軸線
１６  駆動モーター
１７  駆動シャフト
１８,１９  プーリー
２０,２１  プッシュ／プルケーブル
２２  固定内張り
【図１】
2006290326.tif 000003
【図２】
2006290326.tif 000004
【図３】
2006290326.tif 000005